(57)【要約】      （修正有）【課題】伸縮可能であり携帯が便利である箸を提供する。【解決手段】第一箸体は、長棒状であり、内部に収納空間を有し、一端に収納空間と連通する開口が形成され、収納空間を形成する壁面に少なくとも一つの位置決め溝が形成され、位置決め溝がメイン溝部１２３を有する。第二箸体３０は、長棒状であり、一部または全部が第一箸体の収納空間内に収納可能であり、外壁に少なくとも一つの凸部３２ａ、３２ｂが形成されている。ロック部材２０は、一つのロック部２２を有し、第一箸体に結合されている。第二箸体３０が収納空間内の第一位置に位置するとき、凸部３２ａ、３２ｂは、位置決め溝のメイン溝部１２３に入り、ロック部材２０は、操作を受けることで、ロック部２２が位置決め溝のメイン溝部１２３に入り、位置決め溝に入った凸部３２ａ、３２ｂを係止し、凸部がメイン溝部から離れることを抑制する。【選択図】図３
0003206135.tif 000002
【実用新案登録請求の範囲】
【請求項１】
長棒状であり、内部に収納空間を有し、一端に前記収納空間と連通する開口が形成されており、前記収納空間を形成する壁面に少なくとも一つの位置決め溝が形成されており、前記位置決め溝がメイン溝部を有する一つの第一箸体と、
長棒状であり、一部または全部が前記第一箸体の前記収納空間内に収納可能であり、外壁に少なくとも一つの凸部が形成されている一つの第二箸体と、
一つのロック部を有し、前記第一箸体に結合されている一つのロック部材と、を備え、
前記第二箸体が前記収納空間内の第一位置に位置するとき、前記凸部は、前記位置決め溝の前記メイン溝部に入り、
前記ロック部材は、操作を受けることで、前記ロック部が前記位置決め溝の前記メイン溝部に入り、前記位置決め溝に入った前記凸部を係止し前記凸部が前記メイン溝部から離れることを抑制することを特徴とする箸。
【請求項２】
前記位置決め溝は、前記メイン溝部と連通するサブ溝部を有し、
前記ロック部材は、操作を受けることで、前記ロック部が前記位置決め溝の前記サブ溝部に入り、前記ロック部材が前記サブ溝部に入るとき、前記第二箸体の前記凸部が前記メイン溝部から離れ、操作により、前記収納空間内に完全に収納されている一つの第二位置に位置することを特徴とする請求項１に記載の箸。
【請求項３】
前記第一箸体の外壁面に一つの位置決め凸部が形成されており、
前記ロック部材は、筒体であり、回転可能に前記第一箸体にスリーブ接続されており、内側の環状面に一つの位置決め部が形成されており、
前記位置決め部が前記位置決め凸部と嵌合することで、前記ロック部材が前記第一箸体に位置決めされることを特徴とする請求項２に記載の箸。
【請求項４】
前記第一箸体は、一つの環状溝、および、環状部材を有し、前記環状部材が前記環状溝内に設けられており、前記環状溝の外壁面に前記位置決め凸部が形成されており、
前記ロック部材の位置決め部は、第一位置決め孔および第二位置決め孔を有し、
前記位置決め凸部が前記第一位置決め孔に嵌合される時、前記ロック部が前記サブ溝部に入り、
前記位置決め凸部が前記第二位置決め孔に嵌合される時、前記ロック部が前記メイン溝部に入ることを特徴とする請求項３に記載の箸。
【請求項５】
前記第一箸体は、前記環状溝に形成されており前記第一箸体の外壁を貫通する一つの貫通孔を有し、
前記環状部材は、互いに対向し且つ離間している両端を有し、各端が一つの折り曲げ部を有し、
前記折り曲げ部が前記貫通孔に挿入されることで、前記環状部材が前記環状溝内に回転不能に位置決めされていることを特徴とする請求項４に記載の箸。
【請求項６】
前記第一箸体は、一つの本体および一つの固定部材を有し、
前記本体および前記固定部材は、いずれも筒体であり互いに結合されており、内部が連通されており前記収納空間を形成し、
前記固定部材は、一端に前記開口が形成されており、
前記位置決め溝および前記環状溝は、いずれも前記固定部材に形成されている
ことを特徴とする請求項４に記載の箸。
【請求項７】
前記位置決め溝は、前記メイン溝部および前記サブ溝部が前記固定部材の他端において開放しておりかつ互いに平行であり、前記メイン溝部の長さが前記サブ溝部の長さより長いことを特徴とする請求項６に記載の箸。
【請求項８】
前記第一箸体は、他端に一つの開口が形成されており、前記開口を密封する一つの蓋体をさらに有することを特徴とする請求項１に記載の箸。
【考案の詳細な説明】
【技術分野】
【０００１】
本考案は、箸に関し、特に伸縮可能な箸に関する。
【背景技術】
【０００２】
業者は、唾液を経由して伝染する伝染病が広がることを防ぎ、消費者が外食を購入する利便性を図るために、洗う必要がない使い捨ての食器を製造した（以下は使い捨ての割箸を例とする）。近年、割箸の衛生状況に関する調査報告の中で、多くの割箸には健康に害を与える化学添加物が残っていることが発見された。重金属が検出された例もあった。これにより、使用者は使い捨ての食器の安全性を疑うようになった。
【０００３】
消費者自身の安全を高めるため、多くの人々は、外出時に自分で洗浄可能であり重複使用可能である箸を携帯することを提唱し、割箸を使用することで有毒物質を摂取することを防止した。これにより、エネルギー節約および二酸化炭素削減に貢献し、生態の環境を保護することができる。
【０００４】
しかし、自分で携帯する箸は、収納が不便であるため、使用者の携帯する意欲が低い。よって、いかに、自分で箸を携帯する使用者の数を増やし、環境保護意識を広げるのかは、改善が必要であるところである。
【考案の概要】
【考案が解決しようとする課題】
【０００５】
本考案の目的は、伸縮可能であり携帯が便利である箸を提供することにある。
【課題を解決するための手段】
【０００６】
上記目的を達成するために、本考案の箸は、第一箸体、第二箸体、およびロック部材を備える。第一箸体は、長棒状であり、内部に収納空間を有し、一端に収納空間と連通する開口が形成されており、収納空間を形成する壁面に少なくとも一つの位置決め溝が形成されており、位置決め溝がメイン溝部を有する。第二箸体は、長棒状であり、一部または全部が第一箸体の収納空間内に収納可能であり、外壁に少なくとも一つの凸部が形成されている。ロック部材は、一つのロック部を有し、第一箸体に結合されている。第二箸体が収納空間内の第一位置に位置するとき、凸部は、位置決め溝のメイン溝部に入る。ロック部材は、操作を受けることで、ロック部が位置決め溝のメイン溝部に入り、位置決め溝に入った凸部を係止し凸部が位置決め溝から離れることを抑制する。
【０００７】
本考案の効果は、第二箸体が第一箸体の開口から完全または部分的に伸縮可能に収納空間の中に収納される特性により使用者の携帯が便利となるようにする。
【図面の簡単な説明】
【０００８】
【図１】本考案の一つの好ましい実施例の箸を示す立体図。
【図２】図１に示す実施例の箸の別の状態を示す模式図。
【図３】図１に示す実施例の箸の分解図。
【図４】図１のＡ−Ａ線断面図。
【図５】図１に示す実施例の箸の一部の構成部材の一使用状態を示す模式図。
【図６】図１に示す実施例の箸の一部の構成部材の別使用状態を示す模式図。
【図７】図６のＢ−Ｂ線断面図。
【図８】本考案の別の好ましい実施例を示す立体図。
【図９】図８に示す実施例の箸を示す分解図。
【図１０】図８のＣ−Ｃ線断面図。
【図１１】本考案のもう一つの別の好ましい実施例の箸を示す立体図。
【図１２】図１１に示す実施例の箸の分解図。
【図１３】図１１のＤ−Ｄ線断面図。
【考案を実施するための形態】
【０００９】
本考案を明確に説明するために、好ましい実施例を図面に基づいて説明する。図１から図３に示すように、本考案の一つの好ましい実施例の箸１００は、一つの第一箸体１０、一つのロック部材２０、および一つの第二箸体３０を備える。
【００１０】
第一箸体１０は長棒状であり、一つの本体１１、一つの固定部材１２、一つの環状部材、および、一つの蓋体１４を有する。
【００１１】
本体１１は、多角形の管体である。本実施例では、本体１１は四つの角がいずれも小弧形の面取りを有する四角形の管体であり、両端に本体１１の内部空間と外部を連通する二つの開口１１１ａ、１１１ｂを有する。
【００１２】
図３に示すように、固定部材１２は、一つの短い円形の管体であり、一つの環状溝１２１、一つの貫通孔１２２（図７参照）、一つの開口１２ａ、および三個の位置決め溝を有する。環状溝１２１は、固定部材１２の外壁に形成されている。貫通孔１２２は固定部材１２の外壁および環状溝１２１の溝底部を貫通する。開口１２ａは固定部材１２の一端に位置し、固定部材１２の内部と連通する。三つの位置決め溝は、固定部材１２の外周において、等間隔且つ平行に配列されている。各位置決め溝は、固定部材１２の他端側が開放しており、開放端に接近する所定位置から開放端に向かうに従って溝の幅が大きくなる。各位置決め溝は、互いに連通されており且つ平行に配列している一つのメイン溝部１２３および一つのサブ溝部１２４を有する。メイン溝部１２３の長さはサブ溝部１２４の長さより長い。
【００１３】
図４、７に示すように、環状部材１３は薄い金属片により作られており、一つの位置決め凸部１３１を有する。環状部材１３の両端は互いに対向しており一つの折り曲げ部１３２を有する。環状部材１３は固定部材１２の環状溝１２１内に設けられており、二つの折り曲げ部１３２は固定部材１２の貫通孔１２２中に挿入されており、固定部材１２と相対回転不能に結合されている。
【００１４】
蓋体１４は、取り外し可能に本体１１に結合されており一つの開口１１１ａを密封する。
【００１５】
ロック部材２０は、一つの筒体であり、固定部材１２の回転方式に対応して固定部材１２にスリーブ接続されている。ロック部材２０は、三つのロック部２２及び一つの位置決め部を有する。三つのロック部２２は、ロック部材２０の内壁から突出する突出ブロックであり、位置決め溝内に位置する。ロック部材２０は制御可能に固定部材１２を回転する。これにより、ロック部２２が各メイン溝部１２３の間又は各サブ溝部１２４の間で移動する（図５、６参照）。
【００１６】
本実施例では、位置決め部は、ロック部材２０の内壁に形成されている一つの第一位置決め孔２４および一つの第二位置決め孔２６を有する。ロック部材２０が回転する時、固定部材１２の位置決め凸部１３１はロック部材２０の第一位置決め孔２４または第二位置決め孔２６内に嵌め込まれる。これにより、ロック部材２０は、位置決め凸部１３１により制限され、外力の作用がない状態で第一箸体１０に相対して回転することができず、位置決めの効果が得られる。
【００１７】
図４に示すように、固定部材１２と本体１１の一端が結合されており、ロック部材２０は固定部材１２の外にスリーブ接続されている。固定部材１２の一部は本体１１の内部空間の中に位置している。固定部材１２の内部空間および本体１１の内部空間は連通されており、一つの収容空間Ｓを構成する。固定部材１２と本体１１は図示しない複数のねじにより結合されている。
【００１８】
第二箸体３０は、長い棒状であり、プラスチック、木材、または金属で製造されており、金属で製造された場合、ステンレスまたは他の錆びない金属材料を使用することができる。例えば、銀を使用する、または、一般の金属を使用し錆びない金属で表面を鍍金加工し、錆びることを避けるとともに、病原菌の生成を避ける。第二箸体３０は、第一箸体１０内に設置されており、第一箸体１０の開口１２ａから第一箸体１０の外部まで突出し、第一箸体１０に位置する一つの第一位置Ｐ１（図１参照）に位置する、または、第一箸体１０の収容空間Ｓ内に完全に収容されており、第一箸体１０に位置する一つの第二位置Ｐ２に位置する（図２参照）。
【００１９】
本実施例では、第二箸体３０は一端に接近する外壁に三対の凸部３２ａ、３２ｂを有し、三対の凸部３２ａ、３２ｂは三つの位置決め溝のメイン溝部１２３と対応するよう設置されている。また、各凸部３２ａ、３２ｂは第二箸体３０の軸方向に沿って間隔を置きながら配列されている。以上、本考案の箸１００の構造について説明した。以下使用方法について説明する。
【００２０】
まず、第二箸体３０が第一位置Ｐ１に位置するとき、使用状態である。この時、三対の凸部３２ａ、３２ｂはそれぞれ三つの位置決め溝のメイン溝部１２３内に入り、ロック部材２０のロック部２２は制御されることでそれぞれ三つのメイン溝部１２３内に入り、各ロック部２２がそれぞれ凸部３２ａ、３２ｂの間に位置しており、凸部３２ａ、３２ｂがメイン溝部１２３から離れることを抑制する（図５参照）。同時に、固定部材１２の位置決め凸部１３１は、ロック部材２０の回転により第二位置決め孔２６の中に嵌まり、ロック部材２０を制限し、外力の作用がない状態でロック部材２０が回転できないようにする。また、第二箸体３０の大部分が第一箸体１０の外部の第一位置Ｐ１に露出する状態を維持する。
【００２１】
箸１００を使用した後、使用者がロック部材２０を回転させると、図６に示すように、それぞれのロック部２２は、各サブ溝部１２４内に入る。これにより、各凸部３２ａ、３２ｂはメイン溝部１２３から離れることが可能となる。同時に、固定部材１２の位置決め凸部１３１は、ロック部材２０の再回転により第一位置決め孔２４内に嵌まり（図７参照）、再び位置決めの効果を得る。
【００２２】
同時に、第二箸体３０の各凸部３２ａ、３２ｂは、軽い外力により第一箸体１０側に移動し、且つ第一箸体１０の収容空間Ｓ内に完全に収容される。使用者は、蓋体１４を開け、開口１１１ａから第二箸体３０を出して洗うことができる。
【００２３】
上述の実施例では、蓋体１４は、取外し可能に本体１１に結合されており、第一箸体１０の一端部を形成する。その目的は、第二箸体３０を第一箸体１０の内部から取り出して洗うのに便宜となるようにするためである。また、単一の同じ材質で本体１１と蓋体１４を製造することができる。
【００２４】
上述の実施例の他に、図８から図１０は、本考案の別の好ましい実施例の箸２００を示す。本実施例の構造が上述の実施例の箸１００と異なるところは、箸２００には上述の実施例の環状部材が設けられておらず、固定部材４０およびロック部材４４の構造が第一実施例と異なる点である。本実施例の固定部材４０は、一つの位置決め凸部４２を有する。一つのロック部材４４は、固定部材４０にスリーブ接続されており、一つの位置決め部４６を有する。位置決め部４６は、ロック部材４４の内壁に形成されている一つの第一溝体４６１および一つの第二溝体４６２を有する。ロック部材４４が操作を受けて回転するとき、固定部材４０の位置決め凸部４２が第一溝体４６１または第二溝体４６２の中に嵌まる。これにより、ロック部材４４が固定され、間接的に第二箸体４８が異なる状態を維持するようにし、上述の実施例と同等の伸縮効果を得る。
【００２５】
図１１から１３は、本考案のもう一つの別の実施例の箸３００を示す。箸３００は、一つの第一箸体５０、一つのロック部材６０、および一つの第二箸体７０を有する。
【００２６】
第一箸体５０は、長棒状をなし、多角形の管体である一つの本体５２および一つの固定部材５４を有する。本実施例が上述の二つの実施例と異なるところは、本体５２の内壁に一つの内側ネジ部５２１が形成されており、固定部材５４は、一つの短い円形管体であり、外壁に一つの外側ネジ部５４１が形成されている点である。固定部材５４は、外側ネジ部５４１と本体５２の内側ネジ部５２１がロック接続することで固定される（図１３参照）。
【００２７】
上述の実施例の箸１００の中で、組み合わせを行う時、作業員は、複数のネジを一つずつ固定部材１２と本体１１に設ける必要がある。本実施例の箸３００は固定部材５４を本体５２の内側ネジ部５２１に沿って本体５２と結合する。作業員の組み合わせに有利であり、生産作業を迅速に行うことができる。
【００２８】
本考案のメリットは以下の通りである。
１、第二箸体の位置を移動することで、箸の体積の大きさを変えることができる。第二箸体が収納空間に収納された時、第二箸体が外部の空気と接触し汚染されることを防止し、携帯が便宜である。
２、ロック部材を回転させることで、位置決め溝内のロック部の位置を変える。ロック部は、メイン溝部に位置するとき、第二箸体の凸部を係止し凸部が位置決め溝から離れることを防止し、使用時の位置決め効果を達成する。
３、本考案の本体は多角形の中空の柱体である。よって、箸が机の上に置かれた時、転がって落ちることが容易に発生しない。
４、本考案の箸の蓋体が開けられた後、使用者は第二箸体を取り出し、洗うことができる。
５、本考案の第二箸体は銀メッキ処理されている。よって、第二蓋体を空気中に露出しても病原菌が生成しない。
【００２９】
上述は、本考案の好ましい実施例であり、上記形態に制限されるものではない。本考案の明細書および実用新案登録請求の範囲を応用して同じ効果を有する変形は、本考案の実用新案登録請求の範囲に含まれる。
【符号の説明】
【００３０】
１００  箸
１０、５０  第一箸体
１１、５２  本体
１２、４０、５４  固定部材
１２ａ、１１１  開口
１２１  環状溝
１２２  貫通孔
１２３  メイン溝部
１２４  サブ溝部
１３  環状部材
１３１、４２  位置決め凸部
１３２  折り曲げ部
１４  蓋体
５２１  内側ネジ部
５４１  外側ネジ部
２０、４４、６０  ロック部材
２２  ロック部
２４  第一位置決め孔
２６  第二位置決め孔
３０、４８、７０  第二箸体
３２ａ、３２ｂ  凸部
４６  位置決め部
４６１  第一溝体
４６２  第二溝体
Ｐ１  第一位置
Ｐ２  第二位置
Ｓ  収納空間 
【図１】
0003206135.tif 000003
【図２】
0003206135.tif 000004
【図３】
0003206135.tif 000005
【図４】
0003206135.tif 000006
【図５】
0003206135.tif 000007
【図６】
0003206135.tif 000008
【図７】
0003206135.tif 000009
【図８】
0003206135.tif 000010
【図９】
0003206135.tif 000011
【図１０】
0003206135.tif 000012
【図１１】
0003206135.tif 000013
【図１２】
0003206135.tif 000014
【図１３】
0003206135.tif 000015